(57)【要約】      （修正有）【課題】底部におけるシール部の角部の角を落とし、取り扱い中に人の手や他の紙容器への傷つけを防止して安全性を図り、さらには紙容器の意匠性の向上を図ることができる紙容器を提供する。【解決手段】胴部正面パネル５と胴部左右側面パネル６，７と胴部背面パネル８に連接した第１、２外側底面パネル１２，１３と第１、２内側底面パネル１６，１７を内側へ折り畳み、第１、２外側底面パネル１２，１３と第１、２内側底面パネル１６，１７の先端部を重ねて密封して底部９を形成し、第２外側底面パネル１３は、先端方向の長さを第１、２内側底面パネル１６，１７及び第１外側底面パネル１２より長く形成し、第２外側底面パネル１３の先端辺１３ａの両側には、斜線２３ａと、略直線２３ｂとからなる切り欠き線２３から切り欠いた切り欠き部２４を形成し、第２外側底面パネル１３の先端の中央部位に突出縁部２５を形成した。【選択図】図１
2020158183.tif 000002
【特許請求の範囲】
【請求項１】
四角の筒状胴部を形成するところの胴部縦折線を介して連接している胴部正面パネルと胴部左右側面パネルと胴部背面パネルとを有し、底部を形成するところの前記胴部正面パネル及び前記胴部背面パネルに第１底部横折線を介して連接する第１外側底面パネル、第２外側底面パネルと、前記胴部左右側面パネルに第２底部横折線を介して連接する第１内側底面パネルと第２内側底面パネルを有し、前記第１内側底面パネル、前記第２内側底面パネルには、それぞれ前記第２底部横折線を底辺とし、前記第１内側底面パネル、前記第２内側底面パネルの先端に至らない位置に頂点を定めた二等片三角形を形成する２本の斜線からなる第１折り曲げ罫線を設けるとともに、前記第１折り曲げ罫線の頂点と前記第１内側底面パネル、前記第２内側底面パネルの先端辺とを結ぶ第２折り曲げ罫線を設け、さらに、前記第１内側底面パネル、前記第２内側底面パネル及び前記第１内側底面パネル、前記第２内側底面パネルの一側間にある前記第１外側底面パネルに、２つの前記第１折り曲げ罫線の頂点を結んだ第３折り曲げ罫線を設け、前記第１折り曲げ罫線、前記第２折り曲げ罫線を谷折りしながら前記第１底部横折線、前記第２底部横折線を山折りして前記第１外側底面パネル、前記第２外側底面パネルと前記第１内側底面パネル、前記第２内側底面パネルを内側へ折り畳み、前記第１内側底面パネル、前記第２内側底面パネル及び前記第１外側底面パネルの端縁部を前記第３折り曲げ罫線から外側に折り曲げ、この折り曲げ部に、折り曲げていない前記第１内側底面パネル、前記第２内側底面パネル及び前記第１内側底面パネル、前記第２内側底面パネルの他側間にある前記第２外側底面パネルの先端部を重ねてシールして底部を形成する紙容器において、
前記第２外側底面パネルは、先端方向の長さを前記第１内側底面パネル、前記第２内側底面パネル及び前記第１外側底面パネルより長く形成し、前記第２外側底面パネルの先端辺の両側には、前記第１内側底面パネル、前記第２内側底面パネルの先端辺に繋がり先端方向に傾斜した斜線と、前記斜線の先端から前記第２外側底面パネルの先端辺に繋がる略直線とからなる切り欠き線から切り欠いた切り欠き部を形成し、前記切り欠き部によって前記第２外側底面パネルの先端の中央部位に突出縁部を形成したことを特徴とする紙容器。
【発明の詳細な説明】
【技術分野】
【０００１】
本発明は、牛乳やジュース等の液体飲料、液体洗剤、ゼリーやクリームなどの粘稠物、果実片等の固形状の食物をミックスした液体飲料などの液状物を収容する紙容器である。
【背景技術】
【０００２】
従来、牛乳やジュース等の液体飲料、液体洗剤、ゼリーやクリームなどの粘稠物、果実片等の固形状の食物をミックスした液体飲料などの液状物を収容する容器として紙製容器が広く使用されている。
【０００３】
かかる紙容器として、図４に展開図として示すように、四角の筒状胴部１を形成するところの胴部縦折線２，３，４を介して連接している胴部正面パネル５と胴部左右側面パネル６，７と胴部背面パネル８とを有し、底部９を形成するところの胴部正面パネル５及び胴部背面パネル８に第１底部横折線１０，１１を介して連接する第１外側底面パネル１２、第２外側底面パネル１３と、胴部左右側面パネル６，７に第２底部横折線１４，１５を介して連接する第１内側底面パネル１６と第２内側底面パネル１７を有し、第１内側底面パネル１６、第２内側底面パネル１７には、それぞれ第２底部横折線１４，１５を底辺とし、第１内側底面パネル１６、第２内側底面パネル１７の先端に至らない位置に頂点１８を定めた二等片三角形を形成する２本の斜線からなる第１折り曲げ罫線１９と、第１折り曲げ罫線１９の頂点１８と第１内側底面パネル１６、第２内側底面パネル１７の先端縁とを結ぶ第２折り曲げ罫線２０が設けられ、第１内側底面パネル１６、第２内側底面パネル１７及び第１内側底面パネル１６と第２内側底面パネル１７との一側間にある第１外側底面パネル１２に、２つの第１折り曲げ罫線１９の頂点１８を結んだ第３折り曲げ罫線２１が設けられ、第１内側底面パネル１６、第２内側底面パネル１７及び第１外側底面パネル１２を第１内側底面パネル１６と第２内側底面パネル１７との他側間にある第２外側底面パネル１３より短く形成し、第１内側底面パネル１６、第２内側底面パネル１７の先端辺１６ａ，１７ａが、第２折り曲げ罫線２０の位置から第２外側底面パネル１３の先端辺１３ａに繋がるテーパー状となっており、第１折り曲げ罫線１９、第２折り曲げ罫線２０を谷折りしながら第１底部横折線１０，１１、第２底部横折線１４，１５を山折りして第１外側底面パネル１２、第２外側底面パネル１３と第１内側底面パネル１６、第２内側底面パネル１７を内側へ折り畳み、第１内側底面パネル１６、第２内側底面パネル１７及び第１外側底面パネル１２の先端部を第３折り曲げ罫線２１から外側に折り曲げ、この折り曲げ部に、折り曲げていない第１内側底面パネル１６、第２内側底面パネル１７及び第２外側底面パネル１３の先端部を重ねてシールして底部９を形成した紙容器が知られている（例えば特許文献１参照。）。
【０００４】
このようして形成された紙容器の底部９は、図５に示すように、第１内側底面パネル１６、第２内側底面パネル１７及び第１外側底面パネル１２の先端部を第３折り曲げ罫線２１から外側に折り曲げ、この折り曲げ部に第１内側底面パネル１６、第２内側底面パネル１７及び第２外側底面パネル１３の先端部を重ねてシールされたシール部２２にあって、第１外側底面パネル１２の先端片１２ａが第２外側底面パネル１３の先端部で覆われ、第１外側底面パネル１２の先端片１２ａの端縁が第２外側底面パネル１３の先端辺１３ａから露出しないので、密封性の向上が図れ、また静置安定性が良くなるとされている。
（例えば特許文献１参照。）。
【先行技術文献】
【特許文献】
【０００５】
【特許文献１】実開昭５３−９８０２１号公報
【発明の概要】
【発明が解決しようとする課題】
【０００６】
しかし、特許文献１に記載されているような紙容器によれば、図５に示すように、底部９のシール部２２の角部２２ａが底部９の側辺に存在し、シール部２２の角部２２ａと第１外側底面パネル１２の段差が大きく、しかも角張っているため、取り扱い中に手に傷を付けたり、また、搬送時などにあって他の紙容器と擦れたとき傷つけてしまうおそれがあり、また、底部９のシール部２２の角部２２ａは目立つので、紙容器の意匠性を損ねてしまうといった問題がある。
【０００７】
本発明の目的は、底部におけるシール部の角部の角を落とし、取り扱い中に人の手や他の紙容器への傷つけを防止して安全性を図り、さらには紙容器の意匠性の向上を図ることができる紙容器を提供することにある。
【課題を解決するための手段】
【０００８】
上記の目的を達成するために、請求項１に記載の発明は、四角の筒状胴部を形成するところの胴部縦折線を介して連接している胴部正面パネルと胴部左右側面パネルと胴部背面パネルとを有し、底部を形成するところの前記胴部正面パネル及び前記胴部背面パネルに第１底部横折線を介して連接する第１外側底面パネル、第２外側底面パネルと、前記胴部左右側面パネルに第２底部横折線を介して連接する第１内側底面パネルと第２内側底面パネルを有し、前記第１内側底面パネル、前記第２内側底面パネルには、それぞれ前記第２底部横折線を底辺とし、前記第１内側底面パネル、前記第２内側底面パネルの先端に至らない位置に頂点を定めた二等片三角形を形成する２本の斜線からなる第１折り曲げ罫線を設けるとともに、前記第１折り曲げ罫線の頂点と前記第１内側底面パネル、前記第２内側底面パネルの先端辺とを結ぶ第２折り曲げ罫線を設け、さらに、前記第１内側底面パネル、前記第２内側底面パネル及び前記第１内側底面パネルと前記第２内側底面パネルとの一側間にある前記第１外側底面パネルに、２つの前記第１折り曲げ罫線の頂点を結んだ第３折り曲げ罫線を設け、前記第１折り曲げ罫線、前記第２折り曲げ罫線を谷折りしながら前記第１底部横折線、前記第２底部横折線を山折りして前記第１外側底面パネル、前記第２外側底面パネルと前記第１内側底面パネル、前記第２内側底面パネルを内側へ折り畳み、前記第１内側底面パネル、前記第２内側底面パネル及び前記第１外側底面パネルの端縁部を前記第３折り曲げ罫線から外側に折り曲げ、この折り曲げ部に、折り曲げていない前記第１内側底面パネル、前記第２内側底面パネル及び前記第１内側底面パネルと前記第２内側底面パネルとの他側間にある前記第２外側底面パネルの先端部を重ねてシールして底部を形成する紙容器において、前記第２外側底面パネルは、先端方向の長さを前記第１内側底面パネル、前記第２内側底面パネル及び前記第１外側底面パネルより長く形成し、前記第２外側底面パネルの先端辺の両側には、前記第１内側底面パネル、前記第２内側底面パネルの先端辺に繋がり先端方向に傾斜した斜線と、前記斜線の先端から前記第２外側底面パネルの先端辺に繋がる略直線とからなる切り欠き線から切り欠いた切り欠き部を形成し、前記切り欠き部によって前記第２外側底面パネルの先端の中央部位に突出縁部を形成したことを特徴とする。
【０００９】
請求項１に記載の発明によれば、前記第２外側底面パネルは、先端方向の長さを前記第１内側底面パネル、前記第２内側底面パネル及び前記第１外側底面パネルより長く形成し、前記第２外側底面パネルの先端辺の両側には、前記第１内側底面パネル、前記第２内側底面パネルの先端辺に繋がり先端方向に傾斜した斜線と、前記斜線の先端から前記第２外側底面パネルの先端辺に繋がる略直線とからなる切り欠き線から切り欠いた切り欠き部を形成したので、前記第１内側底面パネル、前記第２内側底面パネル及び前記第１外側底面パネルの先端部を第３折り曲げ罫線から外側に折り曲げ、この折り曲げ部に折り曲げていない前記第１内側底面パネル、前記第２内側底面パネル及び前記第２外側底面パネルの先端部を重ねてシールされたシール部にあって、前記第２外側底面パネルの先端辺の両側に形成した前記切り欠き部によって前記シール部の角を落とすことがきる。
これにより、前記底部の側辺に前記シール部の角張った角部が存在しないので、取り扱い中に人の手や他の紙容器への傷つけてしまうおそれがなく、また、紙容器の意匠性を損なうことがない。また、前記第２外側底面パネルに前記切り欠き部を形成することにより紙の使用量を減らすことができる。
また、前記第２外側底面パネルに前記切り欠き部を形成しても、前記第２外側底面パネルの先端の中央部位に突出縁部を形成したので、内側へ折り畳まれたときに突き合わせになる前記第１内側底面パネルと前記第２内側底面パネルの前記第２折り曲げ罫線で折り曲げられた折り曲げ端部の端縁を前記突出縁部で確実に被覆してシールすることができ、前記シール部の密封性を損ねるおそれはない。
【発明の効果】
【００１０】
以上のように、本発明に係る紙容器によれば、底部におけるシール部の角部の角を落とすことにより、取り扱い中に人の手や他の紙容器への傷つけを防止して安全性を図り、さらには紙容器の意匠性の向上を図ることができる。
【図面の簡単な説明】
【００１１】
【図１】本発明に係る紙容器の実施の形態の一例を示す展開図である。
【図２】本例の紙容器の底部を形成する第１内側底面パネル、第２内側底面パネル、第１外側底面パネル、第２外側底面パネルを折り込む前の状態を示す一部省略斜視図である。
【図３】本例の紙容器の底部の底面を示す説明図である。
【図４】従来の紙容器を示す展開図である。
【図５】従来の紙容器の底部の底面を示す説明図である。
【００１２】
以下、本発明に係る紙容器の実施の形態の一例を、図面を参照して詳細に説明する。
図１〜図３は本発明に係る紙容器の実施の形態の一例を示すものであり、図１は本例の紙容器の展開図、図２は本例の紙容器の底部を形成する第１内側底面パネル、第２内側底面パネル、第１外側底面パネル、第２外側底面パネルを折り込む前の状態を示す一部省略斜視図、図３は本例の紙容器の底部の底面を示す説明図である。
なお、図１〜図３において、図４，図５で示す従来例の構成と共通する構成にあっては、同一の符号を付して説明する。
【００１３】
本例の紙容器は、四角の筒状胴部１を形成するところの胴部縦折線２，３，４を介して連接している胴部正面パネル５と胴部左右側面パネル６，７と胴部背面パネル８とを有し、そして、底部９を形成するところの胴部正面パネル５及び胴部背面パネル８に第１底部横折線１０，１１を介して連接する第１外側底面パネル１２、第２外側底面パネル１３と、胴部左右側面パネル６，７に第２底部横折線１４，１５を介して連接する第１内側底面パネル１６と第２内側底面パネル１７を有している。
【００１４】
本例では、胴部背面パネル８と、第１底部横折線１１を介して連接する第２外側底面パネル１３は、縦方向に２分されており、２分された一方の胴部背面パネル片８Ａと第２外側底面パネル片１３Ａの縦縁に縦方向シールパネル２６が連接されており、他方の胴部背面パネル片８Ｂと第２外側底面パネル片１３Ｂの縦縁を縦方向シールパネル２６に接合することにより、胴部背面パネル８と第２外側底面パネル１３を構成するようになっている。
【００１５】
さらに、第１内側底面パネル１６、第２内側底面パネル１７には、それぞれ第２底部横折線１４，１５を底辺とし、第１内側底面パネル１６、第２内側底面パネル１７の先端に至らない位置に頂点１８を定めた二等片三角形を形成する２本の斜線からなる第１折り曲げ罫線１９と、第１折り曲げ罫線１９の頂点１８と第１内側底面パネル１６、第２内側底面パネル１７の先端縁とを結ぶ第２折り曲げ罫線２０が設けられている。
【００１６】
また、第１内側底面パネル１６、第２内側底面パネル１７及び第１内側底面パネル１６と第２内側底面パネル１７との一側間にある第１外側底面パネル１２に、２つの第１折り曲げ罫線１９の頂点１８を結んだ第３折り曲げ罫線２１が設けられている。
【００１７】
第２外側底面パネル１３は、先端方向の長さを第１内側底面パネル１６、第２内側底面パネル１７及び第１外側底面パネル１２より長く形成している。ここで、先端方向とは、筒状胴部１から底部９側の方向のことを示す。第２外側底面パネル１３の先端辺１３ａの両側には、第１内側底面パネル１６、第２内側底面パネル１７の先端辺１６ａ、１７ａに繋がり先端方向に傾斜した斜線２３ａと、斜線２３ａの先端から第２外側底面パネル１３の先端辺１３ａに繋がる略直線２３ｂとからなる切り欠き線２３から切り欠いた切り欠き部２４を形成し、切り欠き部２４によって第２外側底面パネル１３の先端の中央部位に突出縁部２５を形成している。なお、切り欠き線２３の形状は、底部を確実にシールすることができる突出縁部２５を形成することができれば特に限定されない。切り欠き線２３を構成する斜線２３ａの形状は直線に限られず、円弧形状であってもよい。また、斜線２３ａの傾斜を緩やかな傾斜にすることにより、紙の使用量を少なくすることができる。
【００１８】
そして、第１折り曲げ罫線１９、第２折り曲げ罫線２０を谷折りしながら第１底部横折線１０，１１、第２底部横折線１４，１５を山折りして第１外側底面パネル１２、第２外側底面パネル１３と第１内側底面パネル１６、第２内側底面パネル１７を内側へ折り畳み、第１内側底面パネル１６、第２内側底面パネル１７及び第１外側底面パネル１２の先端部を第３折り曲げ罫線２１から外側に折り曲げ、この折り曲げ部に、折り曲げていない第１内側底面パネル１６、第２内側底面パネル１７及び第２外側底面パネル１３の先端部を重ねてシールして底部９を形成している。
【００１９】
このように構成された紙容器によれば、第２外側底面パネル１３は、先端方向の長さを第１内側底面パネル１６、第２内側底面パネル１７及び第１外側底面パネル１２より長く形成し、第２外側底面パネル１３の先端辺１３ａの両側には、第１内側底面パネル１６、第２内側底面パネル１７の先端辺１６ａ，１７ａに繋がり先端方向に傾斜した斜線２３ａと、斜線２３ａの先端から第２外側底面パネル１３の先端辺１３ａに繋がる略直線２３ｂとからなる切り欠き線２３から切り欠いた切り欠き部２４を形成したので、第１内側底面パネル１６、第２内側底面パネル１７及び第１外側底面パネル１２の先端部を第３折り曲げ罫線２１から外側に折り曲げ、この折り曲げ部に折り曲げていない第１内側底面パネル１６、第２内側底面パネル１７及び第２外側底面パネル１３の先端部を重ねてシールされたシール部２２にあって、第２外側底面パネル１３の先端辺１３ａの両側に形成した切り欠き部２４によってシール部２２の角を落とすことがきる。
【００２０】
これにより、底部９の側辺に現れるシール部の角部は２２ａは角張っていないので、取り扱い中に人の手や他の紙容器への傷つけてしまうおそれがなく、また、紙容器の意匠性を損なうことがない。また、第２外側底面パネル１３に切り欠き部２４を形成することにより紙の使用量を減らすことができる。
【００２１】
また、第２外側底面パネル１３に切り欠き部２４を形成しても、第２外側底面パネル１３の先端の中央部位に突出縁部２５を形成しているので、内側へ折り畳まれたときに突き合わせになる第１内側底面パネル１６と第２内側底面パネル１７の第２折り曲げ罫線２０で折り曲げられた折り曲げ端部の端縁を突出縁部２４で確実に被覆してシールすることができ、シール部２２の密封性を損ねるおそれはない。
【符号の説明】
【００２２】
１  筒状胴部
２，３，４  胴部縦折線
５  胴部正面パネル
６  胴部左側面パネル
７  胴部右側面パネル
８  胴部背面パネル
８Ａ  一方の胴部背面パネル片
８Ｂ  他方の胴部背面パネル片
９  底部
１０，１１  第１底部横折線
１２  第１外側底面パネル
１２ａ  先端辺
１３  第２外側底面パネル
１３Ａ  一方の第２外側底面パネル片
１３Ｂ  他方の第２外側底面パネル
１３ａ  先端辺
１４，１５  第２底部横折線
１６  第１内側底面パネル
１６ａ  先端辺
１７  第２内側底面パネル
１７ａ  先端辺
１８  頂点
１９  第１折り曲げ罫線
２０  第２折り曲げ罫線
２１  第３折り曲げ罫線
２２  シール部
２２ａ  角部
２３  切り欠き線
２３ａ  斜線
２３ｂ  略直線
２４  切り欠き部
２５  突出縁部
２６  縦方向シールパネル
【図１】
2020158183.tif 000003
【図２】
2020158183.tif 000004
【図３】
2020158183.tif 000005
【図４】
2020158183.tif 000006
【図５】
2020158183.tif 000007